(57)【特許請求の範囲】
【請求項１】
ワイヤレス通信の方法において、
アクセス・ポイントに関係付けられている第１アクセス端末によって送信された資源活用メッセージと、前記アクセス・ポイントに関係付けられていない第２アクセス端末によって送信された資源活用メッセージとを、前記アクセス・ポイントによって受信し、資源活用メッセージの各々は、優先度を有しており、資源活用メッセージの各々は、トラフィックの受信のためにそれぞれのアクセス端末によって望まれる１つ以上の資源を特定していることと、
前記第１アクセス端末によって特定された１つ以上の資源を識別することと、
前記受信した資源活用メッセージの優先度を比較することと、
前記優先度に基づいて、前記識別した１つ以上の資源のうちの１つ以上に対する競合に前記第１アクセス端末が勝利しているか否かの決定を、前記アクセス・ポイントによってすることと、
前記決定の結果に基づいて、前記第１アクセス端末に対して宛てられるトラフィックを、前記アクセス・ポイントによってスケジューリングすることとを含む、ワイヤレス通信の方法。
【請求項２】
前記識別した１つ以上の資源のうちの前記１つ以上に対する競合に前記第１アクセス端末が勝利していると前記アクセス・ポイントが決定する場合、前記第１アクセス端末に対して宛てられるトラフィックは、前記識別した１つ以上の資源のうちの前記１つ以上の上でスケジューリングされる、請求項１の方法。
【請求項３】
前記識別した１つ以上の資源のうちの前記１つ以上に対する競合に前記第１アクセス端末が勝利していない場合、前記トラフィックは、前記第１アクセス端末によって特定されなかった１つ以上の資源上でスケジューリングされる、請求項１の方法。
【請求項４】
前記識別した１つ以上の資源は、複数の利用可能なキャリアのサブセットを含む、請求項１の方法。
【請求項５】
前記キャリアの各々は複数のサブキャリアを含み、
前記第１アクセス端末に対して宛てられるトラフィックをスケジューリングすることは、前記サブキャリアのうちの少なくとも一部の上で前記トラフィックをスケジューリングすることを含む、請求項４の方法。
【請求項６】
前記トラフィックをスケジューリングすることは、前記トラフィックの優先度にさらに基づいている、請求項１の方法。
【請求項７】
前記第１アクセス端末は、前記アクセス・ポイントに関係付けられているアクセス端末の組のうちの１つであり、
前記トラフィックをスケジューリングすることは、前記アクセス・ポイントに関係付けられている前記アクセス端末の組に関係付けられているトラフィック・フローの相対的な優先度にしたがって、前記識別した１つ以上の資源のうちの前記１つ以上を使用するように前記第１アクセス端末をスケジューリングすることを含む、請求項１の方法。
【請求項８】
前記相対的な優先度は、トラフィック・フロー・レート、バッファされたトラフィックの量、資源活用メッセージ優先度、トラフィック・フロー・タイプ、ヘッド・オブ・ライン遅延、またはサービスの質パラメータのうちの少なくとも１つに基づいている、請求項７の方法。
【請求項９】
ワイヤレス通信のための装置において、
アクセス・ポイントに関係付けられている第１アクセス端末によって送信された資源活用メッセージと、前記アクセス・ポイントに関係付けられていない第２アクセス端末によって送信された資源活用メッセージとを、前記アクセス・ポイントによって受信し、資源活用メッセージの各々は、優先度を有しており、資源活用メッセージの各々は、トラフィックの受信のためにそれぞれのアクセス端末によって望まれる１つ以上の資源を特定している手段と、
前記第１アクセス端末によって特定された１つ以上の資源を識別する手段と、
前記受信した資源活用メッセージの優先度を比較する手段と、
前記優先度に基づいて、前記識別した１つ以上の資源のうちの１つ以上に対する競合に前記第１アクセス端末が勝利しているか否かの決定を、前記アクセス・ポイントによってする手段と、
前記決定の結果に基づいて、前記第１アクセス端末に対して宛てられるトラフィックを、前記アクセス・ポイントによってスケジューリングする手段とを具備する、ワイヤレス通信のための装置。
【請求項１０】
前記識別した１つ以上の資源のうちの前記１つ以上に対する競合に前記第１アクセス端末が勝利していると前記アクセス・ポイントが決定する場合、前記トラフィックをスケジューリングする手段は、前記識別した１つ以上の資源のうちの前記１つ以上の上で、前記第１アクセス端末に対して宛てられるトラフィックをスケジューリングする、請求項９の装置。
【請求項１１】
前記識別した１つ以上の資源のうちの前記１つ以上に対する競合に前記第１アクセス端末が勝利していない場合、前記トラフィックをスケジューリングする手段は、前記第１アクセス端末によって特定されなかった１つ以上の資源上で前記トラフィックをスケジューリングする、請求項９の装置。
【請求項１２】
前記識別した１つ以上の資源は、複数の利用可能なキャリアのサブセットを含む、請求項９の装置。
【請求項１３】
前記キャリアの各々は複数のサブキャリアを含み、
前記第１アクセス端末に対して宛てられるトラフィックをスケジューリングする手段は、前記サブキャリアのうちの少なくとも一部の上で前記トラフィックをスケジューリングする手段を備える、請求項１２の装置。
【請求項１４】
前記トラフィックをスケジューリングする手段は、前記トラフィックの優先度に基づいて、前記トラフィックをスケジューリングする、請求項９の装置。
【請求項１５】
前記第１アクセス端末は、前記アクセス・ポイントに関係付けられているアクセス端末の組のうちの１つであり、
前記トラフィックをスケジューリングする手段は、前記アクセス・ポイントに関係付けられている前記アクセス端末の組に関係付けられているトラフィック・フローの相対的な優先度にしたがって、前記識別した１つ以上の資源のうちの前記１つ以上を使用するように前記第１アクセス端末をスケジューリングする、請求項９の装置。
【請求項１６】
前記相対的な優先度は、トラフィック・フロー・レート、バッファされたトラフィックの量、資源活用メッセージ優先度、トラフィック・フロー・タイプ、ヘッド・オブ・ライン遅延、またはサービスの質パラメータのうちの少なくとも１つに基づいている、請求項１５の装置。
【請求項１７】
通信のための装置において、
アクセス・ポイントに関係付けられている第１アクセス端末によって送信された資源活用メッセージと、前記アクセス・ポイントに関係付けられていない第２アクセス端末によって送信された資源活用メッセージとを受信するように構成され、前記アクセス・ポイント中に含まれており、資源活用メッセージの各々は、優先度を有しており、資源活用メッセージの各々は、トラフィックの受信のためにそれぞれのアクセス端末によって望まれる１つ以上の資源を特定している受信器と、
前記第１アクセス端末によって特定された１つ以上の資源を識別するように構成されている資源識別器と、
前記受信した資源活用メッセージの優先度を比較するようにと、前記優先度に基づいて、前記識別した１つ以上の資源のうちの１つ以上に対する競合に前記第１アクセス端末が勝利しているか否かの決定をするように構成されている優先度決定器と、
前記優先度決定器による決定の結果に基づいて、前記第１アクセス端末に対して宛てられるトラフィックをスケジューリングするように構成されているトラフィック・スケジューラとを具備する、通信のための装置。
【請求項１８】
前記識別した１つ以上の資源のうちの前記１つ以上に対する競合に前記第１アクセス端末が勝利していると前記優先度決定器が決定する場合、前記トラフィック・スケジューラは、前記識別した１つ以上の資源のうちの前記１つ以上の上で、前記第１アクセス端末に対して宛てられるトラフィックをスケジューリングする、請求項１７の装置。
【請求項１９】
前記識別した１つ以上の資源のうちの前記１つ以上に対する競合に前記第１アクセス端末が勝利していない場合、前記トラフィック・スケジューラは、前記第１アクセス端末によって特定されなかった１つ以上の資源上で、前記第１アクセス端末に対して宛てられるトラフィックをスケジューリングする、請求項１７の装置。
【請求項２０】
前記識別した１つ以上の資源は、複数の利用可能なキャリアのサブセットを含む、請求項１７の装置。
【請求項２１】
前記キャリアの各々は複数のサブキャリアを含み、
前記トラフィック・スケジューラは、前記サブキャリアのうちの少なくとも一部の上で、前記第１アクセス端末に対して宛てられるトラフィックをスケジューリングする、請求項２０の装置。
【請求項２２】
前記トラフィック・スケジューラは、前記トラフィックの優先度に基づいて、前記トラフィックをスケジューリングするようにさらに構成されている、請求項１７の装置。
【請求項２３】
前記第１アクセス端末は、前記アクセス・ポイントに関係付けられているアクセス端末の組のうちの１つであり、
前記トラフィック・スケジューラは、前記アクセス・ポイントに関係付けられている前記アクセス端末の組に関係付けられているトラフィック・フローの相対的な優先度にしたがって、前記識別した１つ以上の資源のうちの前記１つ以上を使用するように前記第１アクセス端末をスケジューリングするようにさらに構成されている、請求項１７の装置。
【請求項２４】
前記相対的な優先度は、トラフィック・フロー・レート、バッファされたトラフィックの量、資源活用メッセージ優先度、トラフィック・フロー・タイプ、ヘッド・オブ・ライン遅延、またはサービスの質パラメータのうちの少なくとも１つに基づいている、請求項２３の装置。
【請求項２５】
通信のためのコンピュータ可読記憶媒体において、
アクセス・ポイント中に含まれているプロセッサに、
前記アクセス・ポイントに関係付けられている第１アクセス端末によって送信された資源活用メッセージと、前記アクセス・ポイントに関係付けられていない第２アクセス端末によって送信された資源活用メッセージとを受信させ、資源活用メッセージの各々は、優先度を有しており、資源活用メッセージの各々は、トラフィックの受信のためにそれぞれのアクセス端末によって望まれる１つ以上の資源を特定しており、
前記第１アクセス端末によって特定された１つ以上の資源を識別させ、
前記受信した資源活用メッセージの優先度を比較させ、
前記優先度に基づいて、前記識別した１つ以上の資源のうちの１つ以上に対する競合に前記第１アクセス端末が勝利しているか否かの決定をさせ、
前記決定の結果に基づいて、前記第１アクセス端末に対して宛てられるトラフィックをスケジューリングさせるように実行可能なコードによってエンコードされた、通信のためのコンピュータ可読記憶媒体。
【請求項２６】
アクセス端末において、
前記アクセス端末に関係付けられている第１ノードによって送信された資源活用メッセージと、前記アクセス端末に関係付けられていない複数の第２ノードによって送信された資源活用メッセージとを受信するように構成され、前記アクセス端末中に含まれており、資源活用メッセージの各々は、優先度を有しており、資源活用メッセージの各々は、トラフィックの受信のためにそれぞれのノードによって望まれる１つ以上の資源を特定している受信器と、
前記第１ノードによって特定された１つ以上の資源を識別するように構成されている資源識別器と、
前記受信した資源活用メッセージの優先度を比較するようにと、前記優先度に基づいて、前記識別した１つ以上の資源のうちの１つ以上に対する競合に前記第１ノードが勝利しているか否かの決定をするように構成されている優先度決定器と、
前記優先度決定器による決定の結果に基づいて、前記第１ノードに対して宛てられるトラフィックをスケジューリングするように構成されているトラフィック・スケジューラと、
前記スケジューリングしたトラフィックに基づく表示を出力するように構成されているユーザ・インターフェースとを具備するアクセス端末。
【請求項２７】
ワイヤレス通信のための方法において、
トラフィックの受信のために望まれる資源を特定し、優先度を有している資源活用メッセージを、アクセス・ポイントによって送信することと、
近隣ノードから送信された、それぞれの優先度を有している資源活用メッセージを、前記アクセス・ポイントによって受信することと、
前記送信した資源活用メッセージの優先度と、前記受信した資源活用メッセージの優先度とを比較することと、
前記優先度に基づいて、前記資源のうちの１つ以上に対する競合に前記アクセス・ポイントが勝利しているか否かを、前記アクセス・ポイントによって決定することと、
前記資源のうちの前記１つ以上に対する競合に前記アクセス・ポイントが勝利している場合、前記資源のうちの前記１つ以上の上で、前記アクセス・ポイントに関係付けられているアクセス端末からのトラフィックを、前記アクセス・ポイントによってスケジューリングすることとを含み、
前記近隣ノードのうちの少なくとも１つは、前記アクセス・ポイントに関係付けられていない、ワイヤレス通信のための方法。
【発明の詳細な説明】
【優先権の表示】
【０００１】
この出願は、２００８年３月５日に出願されかつ共通に所有されている米国仮出願番号６１／０３４，０９７の利益および優先権を要求する。また選定代理人事件整理番号０７１８０３Ｐ１であり、本開示の内容は、ここにおいて参照することによって本明細書に組み込まれる。
【技術分野】
【０００２】
この出願は、概して無線通信に関し、より具体的には（しかし、排他的ではない）トラフィックのスケジューリングに関する。
【背景技術】
【０００３】
無線通信システムを配備することは、典型的には干渉緩和方式の何らかの形態を実施することを含んでいる。いくつかの無線通信システムでは、干渉は近隣の無線ノードによって引き起こされ得る。例として、セルラ・システムでは、第１のセルの携帯電話（cell phone、セル式電話）または基地局のワイヤレス送信は、近隣のあるセルの携帯電話と基地局との間の通信と干渉し得る。同様に、Ｗｉ−Ｆｉネットワークでは、アクセス端末または第１のサービス・セットのアクセス・ポイントの無線送信は、近隣のあるサービス・セットのアクセス端末と基地局との間の通信と干渉し得る。
【０００４】
米国特許出願公開番号２００７／０１０５５７４は、無線チャネルの公平な共有が資源活用メッセージ（resources utilization message、「ＲＵＭ」）の使用を通じて送信ノードおよび受信ノードによる送信を共同でスケジューリングすることによって円滑にされ得るシステムを記述している。ここで、送信ノードは、自身の近隣の資源使用可能度（availability）についての知識に基づいて資源の組を要求し得、受信ノードは、自身の近隣の資源使用可能度についての知識に基づいてこの要求を許可し得る。例えば、送信ノードはその周辺の受信ノードを聞くことによってチャネル使用可能度を割り出し得、また、受信ノードはその周辺の送信ノードを聞くことによって干渉の可能性を割り出し得る。
【０００５】
受信ノードが近隣の送信ノードからの干渉にさらされる場合、この受信ノードは近隣の送信ノードにそれらの妨げる送信を抑えさせるためにＲＵＭを送り得る。関連する側面によれば、ＲＵＭは、受信ノードが（例えば受信の際に観察する干渉により）不利な状況に置かれており（disadvantaged）かつ衝突防止送信モードを望むことを示すだけでなく、受信ノードが不利な状況に置かれている程度も示すように、優先順位を与えられる（例えば、加重され得る）。
【０００６】
ＲＵＭを受け取る送信ノードは、自身がＲＵＭを受け取ったという事実とその優先順位とを利用して適切な応答を割り出し得る。例えば、送信ノードは、送信を避けることを決定するかもしれないし、または１つ以上の指定のタイムスロット中で自身の送信電力を減じるかもしれないし、別のキャリア上で送信するかもしれないし、ＲＵＭを無視するかもしれないし、または他のある対策を取るかもしれない。こうして、ＲＵＭおよび関連する優先順位を通知することは、システム中の全てのノードに公平な衝突防止方式を提供し得る。
【発明の概要】
【０００７】
本開示の実例的側面の要約が続く。本明細書中の用語面に対して言及することはいずれも、本開示の１つ以上の側面を指し得ることが理解されるべきである。
【０００８】
本開示は、いくつかの側面において、１つ以上の資源について送られたＲＵＭに基づいたトラフィックのスケジューリングに関する。例えば、複数の資源（例えばキャリア（搬送波））がトラフィックを搬送するために利用可能な複数資源システム（multi-resource system）では、スケジューラは、１つ以上のノードが１つ以上のＲＵＭを送信した対象である資源（例えば利用可能資源の部分集合（subset、一部））を特定する。次に、スケジューラは送信されたＲＵＭが対象とする資源に、より高いスケジュール優先度を与え得る。換言すると、ノードが、ある指定された資源を予約するためにＲＵＭを送信した場合、スケジューラはまずこの指定された資源上でトラフィックをスケジューリングすることを試みる（このことは、関連するＲＵＭが送信されていない資源とは対照的である）。なぜなら、そのＲＵＭ故に、指定された資源上は干渉がより少ないかもしれないからである。
【０００９】
ＲＵＭの送信に利用される資源についての優先順位スケジューリングは相違する種類のトラフィックについて相違する方法で実行され得る。例えば、順方向リンク・トラフィックに対して逆方向リンク・トラフィックをスケジューリングする場合、相違するソースからのＲＵＭが考慮に入れられ得る。
【００１０】
マルチキャリア方式の逆方向リンクについては、アクセス・ポイントはマルチキャリアＲＵＭ（これは例えばＲＵＭが適用されるキャリアを示すキャリア・マスクを含んでいる）を送信し得る。このＲＵＭが１つ以上の指定のキャリアについての競合に勝利した場合（例えば、アクセス・ポイントは、自由に次のタイムスロットにおいて受信することが可能である）、アクセス・ポイントは指定されているキャリアのサブキャリアを、自身が受信することを望むホップに割り当て得る。この場合、キャリア・マスクにおいて示されたキャリア（すなわちＲＵＭされたキャリア（RUM'ed carrier））はいずれも干渉がより少ないだろう。普段はこれらのキャリア上で動作する干渉する送信器がこのＲＵＭに応答して引き下がった（back off）かもしれないからである。対照的に、ＲＵＭされていない（non-RUM'ed）キャリア（すなわち関連するＲＵＭが送信されなかったキャリア）は干渉がより多いかもしれない。干渉する送信器は、これらのキャリア上で自由に送信することが可能だからである。したがって、アクセス・ポイントは、逆方向リンク・トラフィックをスケジューリングしている場合、ＲＵＭされたキャリアに優先順位を与え得る。
【００１１】
マルチキャリア方式の順方向リンクについては、アクセス・ポイントと関連した（例えば、アクセス・ポイントによってサービス提供されている）アクセス端末は、相違するキャリアを指定するＲＵＭを送信し得る。アクセス・ポイント（これは、例えばスケジューリングを行い、またこれらのＲＵＭを全て聞いている）は、成功したＲＵＭ（例えば、比較的相互に近くにある複数のアクセス端末からの競合する複数のＲＵＭの中で最も高い優先順位を有するＲＵＭ）に関連するキャリアは干渉がより少なそうであることを認識し得る。これらのキャリア上での干渉する送信器が引き下がったかもしれないからである。対照的に、ＲＵＭされていないあらゆるキャリア上ではさらなる干渉があり得る。したがって、アクセス・ポイントは、順方向リンク・トラフィックをスケジューリングしている場合、ＲＵＭされていないキャリアに優先順位を与え得る。
【００１２】
順方向リンクについては、アクセス・ポイントは、自身に関連するアクセス端末によって送信された、いくつかのＲＵＭを考慮し得る。例えば、アクセス・ポイントは、自身に関連する複数のアクセス端末によって送信されたキャリア標識（indication）組合せ（union）を使用してスケジューリング中に優先順位を与えられるキャリアを特定し得る。スケジューリングがサブキャリアごとに実行される場合、アクセス・ポイントは、優先度のより高いＲＵＭに関連するキャリアに属するサブキャリアに優先順位を与え得る。
【００１３】
また、アクセス・ポイントは、近隣の受信ノード（例えば順方向リンクについては関連しないアクセス端末または逆方向リンクについては隣接アクセス・ポイント）によって送信された任意のＲＵＭも考慮に入れ得る。相違するＲＵＭを送信しているノードからのＲＵＭは相違する優先順位（例えば重み）を有し得る。この優先順位は、どのノードが所与の資源についての競合に勝利したかを判断するために使用され得る。例として、順方向リンクについて、あるキャリアに向けられている、アクセス・ポイントの関連アクセス端末からのＲＵＭが、これらの同じキャリアに向けられている近隣アクセス端末からのＲＵＭより低い優先順位を有している場合、この関連アクセス端末からのＲＵＭは恐らく隣接アクセス・ポイントによって無視されるだろう。したがって、これらの隣接アクセス・ポイントは、これらのキャリア上の干渉を引き起こし得る。したがって、その順方向リンクについてトラフィックをスケジューリングする場合、アクセス・ポイントは単に近隣のアクセス端末からのＲＵＭより高い優先順位を有する、関連するアクセス端末からのそれらのＲＵＭのキャリア標識（例えばキャリア・マスク）を検討し得る。
【図面の簡単な説明】
【００１４】
本開示のこれらの実例的側面および他の実例的側面は、詳細な記述、および続く添付の請求項、および添付図面において記述される。
【図１】トラフィックをスケジューリングするために実行され得る動作のいくつかの実例的側面の簡略的なフローチャート。
【図２】実例的通信システムの簡略的なブロック図。
【図３】１つ以上のアクセス端末を宛先とするトラフィックをスケジューリングするために実行され得る動作のいくつかの実例的側面の簡略的なフローチャート。
【図４】１つ以上のアクセス端末からのトラフィックをスケジューリングするために実行され得る動作のいくつかの実例的側面の簡略的なフローチャート。
【図５】通信ノードのいくつかの実例的要素の簡略的なブロック図。
【図６】通信要素のいくつかの実例的側面の簡略的なブロック図。
【図７】本明細書において教示されているようにトラフィックのスケジューリングに関する機能を提供するように構成されている装置のいくつかの実例的側面の簡略的なブロック図。
【００１５】
一般的実務に従って、図面中で例示されている様々な要素は、一定の比率通りではない場合がある。したがって、様々な要素の寸法は、明瞭さのための任意に伸張されたり縮小されたりしている場合がある。また、図面のうちのいくつかは明確化のために簡略化され得る。したがって、図面は、所与の機器（例えば装置）または方法の要素の全てを図示するとは限らない場合がある。最後に、同様の参照数字は明細書および図の全体にわたって同様の要素を表わすために使用され得る。
【発明を実施するための形態】
【００１６】
本開示の様々な側面が以下に記述される。本明細書の教示が多様な形態において具現され得ること、および本明細書において開示されている任意の具体的な構造、機能、またはその両方が単に代表的なものであり得ることは明らかなはずである。本明細書の教示に基づいて、当業者は、本明細書において開示されている側面が他の側面とは別個に実施され得ること、およびこれらの側面の２つ以上が様々な方法で組み合わせられ得ることを認識するべきである。例えば、本明細書において示されている任意の個数の側面を使用して、機器が実現され得、または方法が実行され得る。また、本明細書において示されている側面の１つ以上に加えて、またはその１つ以外に他の構造、機能、または構造および機能を使用して、そのような機器が実施され得、または、そのような方法が実行され得る。さらに、１つの側面は、請求項の少なくとも１つの要素を具備し得る。
【００１７】
上記の事項の例として、図１において例示されているように、通信方法は、ノードが資源活用メッセージを送信した対象である、複数の資源のうちの１つの資源を特定することと、前記特定された資源についての競合に基づいて前記ノードを宛先とするトラフィックをスケジューリングすることと、を具備する。また、いくつかの側面において、方法は、ノードが資源活用メッセージの優先順位と少なくとも１つの他のノードによって送信された少なくとも１つの他の資源活用メッセージの優先順位とに基づいて、特定された資源についての競合に勝利したと判定することをさらに具備し得る。
【００１８】
例示目的のため、トラフィックのスケジューリングに関する様々な側面は、１つ以上のシステム資源を予約する目的でノード（例えばアクセス・ポイントおよびアクセス端末）が別のノードにＲＵＭを送る無線システムの背景において記述される。本明細書の教示が他の種類のノード、装置、通信リンク、および通信システム、または他の用語を使用して参照される同様のエンティティーにも適用可能であり得ることが認識されるべきである。例えば、アクセス端末はユーザ装置、モバイル・ユニットなどと称され得る。
【００１９】
図２は、無線通信システム２００のいくつかの実例的側面を例示している。システム２００はノード２０２および２０４として概して示されている複数の無線ノードを含んでいる。所与のノードは１つ以上のトラフィック・フロー（例えばデータおよび／または制御チャネル）を受信および／または送信し得る。例えば、各ノードは少なくとも１本のアンテナおよび関連する受信器要素および送信器要素を具備し得る。以下の説明では、用語受信ノードは受信しているノードを参照するために使用され得る。また、用語送信ノードは送信しているノードを参照するために使用され得る。そのように参照することは、ノードが送信動作および受信動作の両方を実行することができないことを示唆しない。
【００２０】
ノードは様々な方法で実現され得る。例えば、いくつかの実現形態では、ノードはアクセス端末、中継所、またはアクセス・ポイントを具備し得る。図２を参照すると、ノード２０２はアクセス・ポイントまたは中継ポイントを具備し得、ノード２０４はアクセス端末を具備し得る。いくつかの実現形態では、ノード２０２は、ネットワーク（例えばセルラ・ネットワーク、ＷｉＭＡＸネットワークなど）のノード同士の間の通信を円滑にする。例えば、アクセス端末（例えばアクセス端末２０４Ａ）がアクセス・ポイント（例えばアクセス・ポイント２０２Ａ）または中継所の履域内にある場合、それによって、アクセス端末２０４Ａは、システム２００の別の装置またはシステム２００と通信するように接続されている他の何らかのネットワークの装置と通信し得る。ここで、ノード（例えばノード２０２Ｂおよび２０２Ｄ）の１つ以上は、別の１つまたは複数のネットワーク（例えばインターネットのような広域ネットワーク２０８）への接続を提供する有線のアクセス・ポイントを具備し得る。
【００２１】
いくつかの側面では、システム２００の２つ以上のノードは、互いに関連付け合って複数ノード同士の間に１つ以上の通信リンクによるトラフィック・フローを確立する。例えば、ノード２０４Ａおよび２０４Ｂは、対応するアクセス・ポイント２０２Ａおよび２０２Ｃを介して互いに関連付け合う。したがって、アクセス端末２０４Ａへのまたはこれからの１つ以上のトラフィック・フローがアクセス・ポイント２０２Ａを介して確立され得、また、アクセス端末２０４Ｂへのまたはこれからの１つ以上のトラフィック・フローがアクセス・ポイント２０２Ｃを介して確立され得る。
【００２２】
いくつかの事例では、システム２００中の複数のノードは、同時に（例えば同じタイムスロット中で）送信することを試み得る。送信ノードと受信ノードとの相対的位置および送信ノードの送信電力によっては、そのような同時通信を信頼性を持って行うことが可能であり得る。これらの状況の下では、例えばキャリア（搬送波）検知多重アクセス（「ＣＳＭＡ」）動作モードを単に使用するシステムと比較して、システム２００の無線資源が良好に利用され得る。
【００２３】
しかしながら、別の状況の下では、システム２００中のノードからの無線送信はシステム２００中の関連しないノードにおける受信と干渉し得る。例えば、送信ノード２０４Ｂは、ノード２０２Ｄがノード２０４Ｃに（シンボル２０６Ｂによって表わされているように）送信しているのと同時に、ノード２０２Ｃから（無線通信シンボル２０６Ａによって表わされているように）受信している場合がある。ノード２０４Ｂとノード２０２Ｄとの間の距離およびノード２０２Ｄの送信電力によっては、ノード２０２Ｄからの送信はノード２０４Ｂでの受信と（破線シンボル２０６Ｃによって表わされているように）干渉する場合がある。同様に、ノード２０４Ｂからの送信は、ノード２０４Ｂの位置および送信電力に応じてノード２０２Ｄでの受信と干渉する場合がある。
【００２４】
このような干渉を緩和するために、無線通信システムのノードはノード間メッセージング（messaging）方式を使用し得る。例えば、干渉を経験している受信ノードは、ノードが何らかの点で不利な状況に置かれていることを示すための資源活用メッセージ（「ＲＵＭ」）を送り得る。ＲＵＭを受け取った近隣ノード（例えば潜在的な干渉主体（interferer））は、ＲＵＭを送信するノード（すなわちこのＲＵＭを送信した受信ノード）と干渉しないようにするために自身の将来の送信を何らかの方法で抑えることを選択し得る。ここで、受信ノードによるＲＵＭを送信することの決定は、１つ以上の指定された資源によってそのノードにおいて受け取られたデータに関連するサービス品質に少なくとも一部基づき得る。例えば、受信ノードは、自身のリンクまたはフローの１つ以上についてのサービス品質の現在の水準が、サービス水準の所望品質以下に落ちたという出来事でＲＵＭを送信し得る。逆に、サービス品質が許容可能な場合、ノードはＲＵＭを送らないかもしれない。
【００２５】
ここで、資源は、例えば、１つ以上のキャリア、１つ以上のサブキャリア（例えば１つのキャリアに関連する周波数帯の部分集合（一部））、１つ以上のインターレース、１つ以上のタイムスロットなどを具備し得る。例示目的のため、本開示の様々な側面はマルチキャリア方式の背景において記述され得る。本明細書の教示が他の種類の資源に広く適用可能であり得ることが認識されるべきである。
【００２６】
上記の事項に留意して、次に、資源をスケジューリングするために実行され得る実例的動作が、図３および図４のフローチャートの背景において記述される。図３および図４の動作（あるいは本明細書において詳述または教示されている他の動作）は、具体的な要素（例えば図５に図示されているようなシステム５００の要素）によって実行され得る。しかしながら、これらの動作が他の種類の要素によって実行され得ることおよび異なる個数の要素を使用して実行され得ることが理解されるべきである。本明細書において記述されている動作の１つ以上が所与の実現形態で使用されないかもしれないことも理解されるべきである。
【００２７】
図５は、スケジューリング・ノード（例えばアクセス・ポイント）として指定されているノード５０２中で、および送信／受信ノードとして指定されているノード５０４（例えばアクセス端末）中で使用され得る実例的要素を図示している。図５の複雑さを減じるために、２つのノードだけがシステム５００において示されている。しかしながら、実際には、システム５００（これは例えばシステム２００に対応する）のようなシステムは、所与の時刻においてスケジューリング・ノードとして動作する多くのノード、および送信／受信ノードとして動作する多くのノードを有し得る。
【００２８】
ノード５０２および５０４は、相互に通信しまたシステム５００中の他のノードと通信するためのそれぞれのトランシーバ５０６および５０８を含んでいる。トランシーバ５０６は、信号（例えばメッセージ）を送信するための送信器５１０および信号を受信するための受信器５１２を含んでいる。また、トランシーバ５０８は、信号を送信するための送信器５１４および信号を受信するための受信器５１６を含んでいる。
【００２９】
例証を目的として、トラフィックをスケジューリングしまたトラフィックおよびＲＵＭを送信／受信することとの関連で使用され得るいくつかの要素が、ノード５０２において示されている。ノード５０２は１つ以上の資源（例えば時間スロット、キャリア、サブキャリアなど）上でトラフィックをスケジューリングするためのトラフィック・スケジューラ５１８を含み得る。ノード５０２は１つ以上のＲＵＭに関連する優先順位を判断するための優先順位判断器５２０を含み得る。また、ノード５０２は、１つ以上の資源を特定するように構成されている資源特定器５２２を含み得る。ノード５０２はＲＵＭを生成するＲＵＭ生成器５２４を含み得る。また、ノード５０２は、（例えば本明細書において詳述されているように）受信トラフィックに関連するサービスの質が許容可能かどうか判断するように構成されているサービスの質判断器５２６を含み得る。さらに、ノード５０２は、トラフィックを処理する（例えば、送信されるトラフィックを提供するおよび受信トラフィックを処理する）とともに他の通信に関連する動作を提供するための通信コントローラ５２８を含み得る。
【００３０】
例証を目的として、トラフィックおよびＲＵＭをまた送信する／受信することとの関連で使用され得るいくつかの要素が、ノード５０４において示されている。ノード５０４は受信トラフィックに関連するサービスの質が許容可能かどうか判断するように構成されているサービスの質判断器５３０を含み得る。ノード５０４は、干渉がＲＵＭによって取り除かれる予定の１つ以上の資源を特定するように構成されている資源特定器５３２を含み得る。ノード５０４はＲＵＭに関連する優先順位を判断するための優先順位判断器５３４を含み得る。ノード５０４はＲＵＭを生成するＲＵＭ生成器５３６を含み得る。また、ノード５０４は、トラフィックを処理するとともに他の通信に関連する動作を提供するための通信コントローラ５３８を含み得る。
【００３１】
次に図３を参照して、いくつかの動作が、アクセス・ポイントが１つ以上の関連するアクセス端末（例えばノード５０４）から聞くＲＵＭに（少なくとも一部）基づいて順方向リンク・トラフィックをスケジューリングするアクセス・ポイント（例えばノード５０２）の背景において記述される。この例において、アクセス・ポイントは、アクセス・ポイントがアクセス端末に送信するトラフィックをスケジューリングし、それによって、アクセス端末が１つ以上のＲＵＭを送信した対象である１つ以上の順方向リンク資源上でトラフィックをスケジューリングすることの試みに対して優先順位が与えられる。記述されている動作が相違する実現形態中の相違する種類のノードによって実行され得ることが認識されるべきである。例えば、いくつかの実現形態では、アクセス端末がトラフィックをスケジューリングするかもしれない。
【００３２】
ブロック３０２〜３０６は、ＲＵＭを生成することとの関連でアクセス端末によって（例えば本明細書において詳述されるような受信ノードとして動作する場合に）実行され得るいくつかの動作を記述している。これらのような動作がシステム中の他のノードによって実行され得ることが認識されるべきである。例えば、所与の時刻において、相違するアクセス端末がシステム中の同じか相違する資源を予約することを目的としてＲＵＭを生成し得る。
【００３３】
ブロック３０２によって表わされているように、アクセス端末（例えばサービスの質判断器５３０）は、自身が受信トラフィックについてのサービスの質（「ＱｏＳ」）要件を満たしているかどうか判断する。いくつかの側面では、これらのサービスの質要件は（例えばフル・バッファ・トラフィックについての）スループット、（例えば音声トラフィックについての）レイテンシ、平均スペクトル効率、最小キャリア対干渉波比（「Ｃ／Ｉ」）、またはいくつかの他の適切な１つまたは複数のメトリックに関する。したがって、ブロック３０２の判断は、例えば、受信トラフィックについての現在のサービスの質を示す対応するメトリックをサービスの質の所望の水準を示すサービスの質閾値と比較することを含み得る。このようにして、アクセス端末は現在のサービスの質が所望の水準未満（例えば閾値以下）かどうか判断し得る。
【００３４】
ブロック３０４によって表わされているように、いくつかの実現形態において、アクセス端末（例えば資源特定器５３２）は、トラフィックを受信するための１つ以上の所望の資源を特定し得る。例えば、マルチキャリア方式では、利用可能な帯域幅は多くのキャリア（例えば４つのキャリア）に分割されている。したがって、トラフィック・フローは、１つ以上のキャリアに関してスケジューリングされ得（例えば、所与のキャリアのいくつかのサブキャリア上でスケジューリングされ得）、それによって、資源のより良い共有を可能にする。そのような場合、アクセス端末は、割り当てられたキャリアの（例えば１以上）部分集合（一部）を対象とするＲＵＭを送信することを選択し得る。
【００３５】
他の実現形態では、アクセス端末にサービス提供するアクセス・ポイントは、アクセス端末へトラフィックを送信するために使用される予定の資源を選択し得る。この場合、アクセス・ポイントは、選択された資源の標識（indication）をアクセス端末に送信し得る。そのような選択は静的なものであっても動的なものであってもよい。
【００３６】
ブロック３０６によって表わされているように、アクセス端末が自身のサービスの質要件を満たしていない場合、アクセス端末は特定された資源から干渉波を取り除くことを目的としてＲＵＭを送信する。図５の例では、ＲＵＭ生成器５３６がＲＵＭを生成し得る。
【００３７】
ＲＵＭは様々な形態を取り得る。例えば、いくつかの例では、ＲＵＭは一連のトーンから構成され得る。いくつかの例では、相違するトーンは相違する周波数帯にわたり得る。いくつかの例では、相違する装置からのＲＵＭは、ある方法に則って（例えば時間および／または周波数に則って）発せられ得る。
【００３８】
ＲＵＭは、ＲＵＭが当てはまる（例えばブロック３０４で特定されたような）資源を特定する標識を含み得る。例えば、マルチキャリア方式では、ノードは、ＲＵＭが対象とするキャリアの標識を含んだＲＵＭを送信し得る。
【００３９】
そのようなキャリア標識は様々な形態を取り得る。例えば、いくつかの例では、キャリア標識は、ビットの組の形態を取り得る。各ビットは１本の木の枝に相当し、各枝はキャリアに相当する。例えば、あるビットは第１キャリアに相当し得、別のビットはキャリアの組（これは、例えば１つ以上のキャリアまたはキャリアの組を含み得る）に相当し得る。他の場合では、キャリア標識は、ビット・マスクの形態を取り得る。例えば、マスクの各ビットは複数のキャリアのうちのただ１つに相当し得る。
【００４０】
また、ＲＵＭは、例えばＲＵＭを送信するノードが直面した「不利な状況の程度（degree of disadvantage）」を示す優先順位標識を含み得る（例えば、カプセル化し得る）。上述のように、不利な状況の程度は、ノードの実際のサービスの質およびノードのサービスの所望品質の関数であり得る。図５の例では、この優先順位は優先順位判断器５３４によって判断され得る。
【００４１】
ＲＵＭに関連する優先順位情報は様々な形態を取り得る。例えば、いくつかの例では、優先順位情報は、重み付け係数（重み）の形態を取り得る。そのような重み付け係数は正規化され得る。例えば、重み付け係数は、重み付け係数に関連するオーバーヘッドを減じるために少数のビット（例えば２または３ビット）によって表わされるように正規化され得る。いくつかの例では、優先順位は、ＲＵＭの順位（例えば時間および／または周波数における順位）によって示され得る。例えば、先に生じかつ／またはある周波数上で生じるＲＵＭは、より高い優先順位に関連付けられ得る。
【００４２】
ＲＵＭが生成されると、アクセス端末（例えば送信器５１４）は、１つ以上の資源から干渉波を取り除くことを目的として、ある特定の送信機会においてＲＵＭを送信する。ここで、ＲＵＭは、近くの送信ノードによって聞かれるように、ある方法に則って（例えば、適切な時点においておよび指定された周波数分割多重化された制御チャネルを介して）送信される。これらのノードは、例えば、関連するアクセス・ポイント、およびこのアクセス端末における受信と潜在的に干渉し得る送信ノード（例えば関連しないアクセス・ポイント）を含む。
【００４３】
ブロック３０８〜３１８は、アクセス・ポイントによって（例えば本明細書において詳述されているような送信ノードとして動作する場合に）実行され得るいくつかのスケジューリング関連の動作を記述している。上述のように、アクセス・ポイントによって下されるスケジューリングの決定は、アクセス・ポイントによって聞かれたＲＵＭに一部基づき得る。
【００４４】
ブロック３０８によって表わされているように、アクセス・ポイント（例えば受信器５１２）は１つ以上のアクセス端末（例えば受信ノード）からＲＵＭを受信し得る。具体的には、アクセス・ポイントは、１つ以上の関連するアクセス端末（例えばアクセス・ポイントが情報を送信している宛先であるノード）、および／または１つ以上の関連しないアクセス端末（例えば別のアクセス・ポイントから情報を受け取っている、近くのアクセス端末）からＲＵＭを受け取り得る。
【００４５】
上述のように、ＲＵＭは、そのＲＵＭが当てはまる資源を指定する資源標識を含み得る。したがって、アクセス・ポイント（例えば資源特定器５２２）は、受信されたＲＵＭの各々が対象としている資源を特定し得る。このように、アクセス・ポイントは、近隣のアクセス端末が干渉波を取り除こうとしている資源を特定し得る。
【００４６】
また、上述のように、ＲＵＭは、例えば、所与のアクセス端末が経験している「不利な状況の程度」を指定する優先順位標識を含み得る。したがって、ブロック３１０によって表わされているように、アクセス・ポイント（例えばトラフィック・スケジューラ５１８）は、特定された資源についての複数のＲＵＭの優先順位同士を比較して最高の優先順位を有している１つまたは複数のノードを特定し得る。
【００４７】
したがって、ブロック３１２および３１４によって表わされているように、アクセス・ポイントは自身のアクセス端末のうちのいずれかが１つ以上の資源についての競合に勝利したかどうか判断し得る。例えば、アクセス・ポイントが同じ資源を対象とする複数のＲＵＭを受信すると、アクセス・ポイントは、アクセス・ポイントに関連するアクセス端末によって送信されたＲＵＭのうちのいずれかが、関連しないアクセス端末のいずれかによって送信されたＲＵＭより高い優先順位を有するか判断する。関連するアクセス端末が最高の優先順位を有する場合、関連するアクセス端末はその資源についての競合に勝利したと認められ得る。したがって、アクセス・ポイントは、自由にその資源上で（例えばＲＵＭが対象とする送信機会中で）トラフィックをスケジューリングすることが可能である。
【００４８】
逆に、関連しないアクセス端末が最高の優先順位を有する場合、関連するアクセス端末は資源についての競合に敗北したと認められ得る。この場合、アクセス・ポイントは、関連しないアクセス端末からのＲＵＭに従うことを選択し得る。したがって、アクセス・ポイントは、トラフィックをその資源上で自由にスケジューリングすることができないかもしれない。
【００４９】
ブロック３１６によって表わされているように、アクセス・ポイントに関連するアクセス端末の少なくとも１つが資源についての競合に勝利した場合、アクセス・ポイント（例えばスケジューラ５１８）は、自身の関連するアクセス端末のうちのいくつかまたは全てのための順方向リンク・トラフィックを対応する資源上でスケジューリングし得る。上述のように、所与のＲＵＭは、複数の資源（例えば複数のキャリア）を対象とし得る。そして、アクセス・ポイントは複数の関連するアクセス端末からＲＵＭ（これらのＲＵＭのうちのいくつかは相違する資源を対象としていた）を受信したということがあり得る。この結果、アクセス・ポイントは、ブロック３１６でこれらの資源の１つ以上の上で順方向リンク・トラフィックをスケジューリングすることを選択し得る。
【００５０】
利用可能な他の資源がある場合、アクセス・ポイントは、これらの資源上でも順方向リンク・トラフィックをスケジューリングすることを選択してもよい。例えば、アクセス・ポイントは、ＲＵＭが送信されなかった任意の資源上でトラフィックをスケジューリングし得る。
【００５１】
しかしながら、上述のように、スケジューラ５１８は、ＲＵＭが送信された資源上でスケジューリングすることを最初に試みる。これらの資源上では干渉波がより少ない可能性があるからである。これらの資源は干渉波がより少ない可能性がある。なぜなら、潜在的にこれらの資源上で干渉を引き起こす可能性があるあらゆる近くのアクセス・ポイントもそれらの資源についてのＲＵＭを聞いたはずだからである。したがって、これらのアクセス・ポイントは、それらのアクセス端末が競合に勝利しなかったと判断したはずである。その結果、これらのアクセス・ポイントは、指定の送信機会にこれらの資源上での送信を抑えるはずである。
【００５２】
ノードが次の送信機会（例えば次のスケジューリングされたタイムスロット）についての送信を抑え得る様々な方法がある。複数の例は、時間において引き下がること（例えば、複数のスロットまたはインターレースにわたって送信を差し控える）、周波数において引き下がること（例えば、複数の周波数帯またはキャリアにわたって送信を差し控える）、電力において引き下がること（例えば次のタイムスロットにおいて送信電力を減じること）を含む。
【００５３】
マルチキャリア方式では、ノードがＲＵＭを聞いた場合、ノードはキャリア標識によって指定されたキャリア上でのみＲＵＭに従い得る。ノードが相違する受信器からの複数のＲＵＭに従うことを選択した場合、ノードは、ＲＵＭキャリア標識の全てによって指定されたキャリアに対する「ＯＲ」動作を実行し得る。したがって、この動作の結果の補数は、ノードが送信を行い得るキャリアを示し得る。
【００５４】
いくつかの例では、スケジューラ５１８は、相違するアクセス端末を宛先とするトラフィックを資源の相違する部分（例えばキャリアのサブキャリア）上でスケジューリングし得る。例えば、スケジューラ５１８は、相違するアクセス端末に割り当てるためのサブキャリアのリストを保持し得る。ここで、ＲＵＭされたキャリア（すなわちＲＵＭが送信された対象のキャリア）に属するサブキャリアは、リストの一番上に配置され得る。例えば、サブキャリアの２つの順列が作成され得（例えばＲＵＭが送信された対象のキャリアについて１つ、および対象のＲＵＭが送信されなかったキャリアについて１つ）、次に、これらのリスト同士が連結され得る。このことはＲＵＭされたキャリアがまず選択されることを保証し得る。いくつかの実現形態では、サブキャリアのランダムな順列が使用され得る。
【００５５】
スケジューラ５１８は関連するノードへのトラフィック・フローまたはホップと関連した相対的な優先順位に基づいて資源を割り当てて得る。例えば、スケジューラ５１８は、最初に、最高優先順位を有する（例えば、データについての最も強く要求されている）フローまたはホップに資源を割り当てようとし得る。これらの優先順位は、例えばトラフィック・フロー・レート、バッファされたトラフィックの量、資源活用メッセージ優先順位、トラフィック・フローの形式（例えば音声、データ、トラフィック・フロー・クラスなど）、ヘッド・オブ・ライン遅延、またはサービスの質パラメータのうちの少なくとも１つに基づき得る。上記のように、スケジューラ５１８は、まず、干渉が最も少ない資源（例えば、競合に勝利した、関連ノードからのＲＵＭが対象とするキャリア）上で相対的な優先順位に関連するトラフィック・フローまたはホップをスケジューリングしようとし得る。
【００５６】
再び図３を参照すると、ブロック３１８によって表わされているように、アクセス・ポイントに関連するアクセス端末のいずれもが資源についての競合に勝利しなかった場合、アクセス・ポイントは、順方向リンク・トラフィックを他の資源上でスケジューリングすることを選択し得る。例えば、アクセス・ポイントは、ＲＵＭが送信されなかった１つ以上の資源上でトラフィックをスケジューリングし得る。上記のように、この場合、スケジューラ５１８は、トラフィック・フローまたはホップに関連する相対的な優先順位に基づいて資源を割り当て得る。また、スケジューラ５１８は、相違するアクセス端末を宛先とするトラフィックのために、資源の相違する部分（例えばキャリアのサブキャリア）をスケジューリングし得る。
【００５７】
次に図４を参照して、アクセス・ポイント（例えばノード５０２）が、アクセス・ポイントによって送信されたＲＵＭに少なくとも一部基づいて逆方向リンク・トラフィックをスケジューリングする背景においていくつかの動作が記述される。この例において、アクセス・ポイントは、１つ以上の関連するアクセス端末（例えばノード５０４）からアクセス・ポイントが受信するトラフィックをスケジューリングする。ここでアクセス・ポイントが送信したＲＵＭが対象とする逆方向リンク資源上でこのトラフィックをスケジューリングすることの試みに対して優先順位が与えられる。
【００５８】
ブロック４０２〜４０６は、ＲＵＭを生成することとの関連でアクセス・ポイントによって（例えば本明細書において詳述されているような受信ノードとして動作する場合に）実行され得るいくつかの動作を記述している。ここでも、これらのような動作がシステム中の他のノードによって実行され得ることが認識されるべきである。
【００５９】
ブロック４０２によって表わされているように、アクセス・ポイント（例えばサービスの質判断器５２６）は、自身が受信トラフィックについてのサービスの質（「ＱｏＳ」）要件を満たしているかどうか判断する。例えば、アクセス・ポイントは現在のサービスの質が上記のように所望の水準未満かどうか判断し得る。
【００６０】
ブロック４０４によって表わされているように、アクセス・ポイント（例えば資源特定器５２２）は、トラフィックを受信するための１つ以上の所望の資源を特定し得る。ここでも、マルチキャリア方式では、アクセス・ポイントは、割り当てられたキャリア郡の（例えば１以上の）部分集合を対象とするＲＵＭを送信することを選択し得る。
【００６１】
ブロック４０６によって表わされているように、アクセス・ポイントが自身のサービスの質要件を満たしていない場合、アクセス端末は特定された資源から干渉波を取り除くことを目的としてＲＵＭを送信する。ここで、ＲＵＭ生成器５２４は、例えば（例えばブロック４０４において示されているように）ＲＵＭが当てはまる資源の標識、およびアクセス・ポイントが直面した「不利な状況の程度」を示す優先順位標識を含んだＲＵＭを生成し得る。図５の例では、この優先順位は優先順位判断器５２０によって判断され得る。
【００６２】
ＲＵＭが生成されると、アクセス・ポイント（例えば送信器５１０）は、１つ以上の資源から干渉波を取り除くことを目的として、ある特定の送信機会においてＲＵＭを送信する。ここでも、ＲＵＭは、近くの送信ノードによって聞かれるように、ある方法に則って（例えば適切な時点において）送信される。これらのノードは、例えば、関連するアクセス端末、およびこのアクセス・ポイントにおける受信と潜在的に干渉し得る送信ノード（例えば関連しないアクセス端末）を含む。
【００６３】
ブロック４０８〜４１８は、アクセス・ポイントによって実行され得るいくつかのスケジューリング関連の動作を記述している。上述のように、アクセス・ポイントによって下されるスケジューリングの決定は、アクセス・ポイントによって聞かれたＲＵＭに一部基づき得る。
【００６４】
ブロック４０８によって表わされているように、アクセス・ポイント（例えば受信器５１２）は１つ以上の隣接アクセスポイント（例えば受信ノード）からＲＵＭを受信し得る。すなわち、周辺の他のアクセス・ポイントは、アクセス・ポイントと同じ送信機会についてのＲＵＭを送信し得る。上に詳述されているように、アクセス・ポイント（例えば資源特定器５２２）は受信された各ＲＵＭが対象とする資源を特定し得る。
【００６５】
次に、ブロック４１０によって表わされているように、アクセス・ポイント（例えばスケジューラ５１８）は、特定された資源についての複数のＲＵＭの優先順位同士を比較する。こうして、アクセス・ポイントは、最高優先順位を有する１つまたは複数のノードを特定し得る。
【００６６】
したがって、ブロック４１２および４１４によって表わされているように、アクセス・ポイントは自身が１つ以上の資源についての競合に勝利したかどうか判断し得る。例えば、アクセス・ポイントが、ある受信されたＲＵＭと同じ資源を対象とするＲＵＭを送信していた場合、アクセス・ポイントは、自身のＲＵＭが、受信されたＲＵＭのうちのいずれよりも高い優先順位を有しているかどうか判断し得る。
【００６７】
ブロック４１６によって表わされているように、アクセス・ポイントが資源についての競合に勝利した場合、アクセス・ポイント（例えばスケジューラ５１８）は、自身の関連するアクセス端末のうちのいくつかまたは全てからの逆方向リンク・トラフィックを対応する資源上でスケジューリングし得る。上述のように、ブロック４１６において、勝利したＲＵＭは複数の資源（例えば複数のキャリア）を対象とし得、それによって、アクセス・ポイントは、これらの資源の１つ以上において逆方向リンク・トラフィックをスケジューリングすることを選択し得る。また、利用可能な他の資源がある場合、アクセス・ポイントは、これらの資源上で、しかし上に詳述されているようにＲＵＭされた資源よりより低い優先順位で、逆方向リンク・トラフィックをスケジューリングすることを選択し得る。また、スケジューラ５１８は、相違するアクセス端末からのトラフィックを資源の相違する部分（例えばキャリアのサブキャリア）上でスケジューリングし得る。また、スケジューラ５１８は、トラフィック・フローまたはホップに関連する相対的な優先順位に基づいて資源を関連するノードに割り当て得る。
【００６８】
ブロック４１８によって表わされているように、アクセス・ポイントが資源についての競合に勝利しなかった場合、アクセス・ポイントは、逆方向リンク・トラフィックを他の資源上でスケジューリングすることを選択し得る。例えば、アクセス・ポイントは、上に詳述されているように、ＲＵＭが送信されなかった１つ以上の資源上でトラフィックをスケジューリングし得る。ここでも、スケジューラ５１８は、トラフィック・フローまたはホップに関連する相対的な優先順位に基づいて資源を関連するノードに割り当て得る。
【００６９】
本明細書の教示は、少なくとも１つの他の無線装置と通信するための様々な要素を使用する装置に組み入れられ得る。図６は、装置間の通信を円滑にするために使用され得るいくつかの実例的要素を図示している。ここで、第１装置６０２（例えばアクセス端末）および第２装置６０４（例えばアクセス・ポイント）は適切な媒体上の無線通信リンク６０６によって通信するように適合されている。
【００７０】
最初に、装置６０２から装置６０４へ情報を送信することに関与する要素（例えば逆方向リンク）が扱われる。送信（「ＴＸ」）データ・プロセッサ６０８はデータバッファ６１０または他のある適切な要素からトラフィック・データ（例えばデータ・パケット）を受け取る。送信データ・プロセッサ６０８は、選択された符号化および変調方式に基づいて各データ・パケットを処理し（例えば、符号化し、インターリーブし、シンボル・マッピングし）、データ・シンボルを提供する。一般に、データ・シンボルはデータについての変調シンボルであり、パイロット・シンボルはパイロット（それは先験的に知られている）についての変調シンボルである。変調器６１２はデータ・シンボル、パイロット・シンボル、および、恐らくは逆方向リンク用シグナリング（signaling）を受信し、変調（例えばＯＦＤＭまたは他の何らかの適切な変調）および／またはシステムによって規定されているような他の処理を実行し、出力チップのストリームを提供する。送信器（「ＴＭＴＲ」）６１４は、出力チップ・ストリームを処理し（例えば、アナログへ変換し、濾波し、増幅し、周波数アップコンバートし）、変調された信号を生成する。次いで、この変調された信号はアンテナ６１６から送信される。
【００７１】
装置６０２によって送信された変調された信号は、（装置６０４と通信中の他の装置からの信号とともに）装置６０４のアンテナ６１８によって受信される。受信器（「ＲＣＶＲ」）６２０は、アンテナ６１８からの受信された信号を処理し（例えば、調整し、ディジタル化し）、受信されたサンプルを提供する。復調器（「ＤＥＭＯＤ」）６２２は、受信されたサンプルを処理し（例えば、復調し、検出し）、検出されたデータ・シンボルを提供する。このデータ・シンボルは、他方の装置によって装置６０４に送信されたデータ・シンボルの雑音が多い推定値であり得る。受信（「ＲＸ」）データ・プロセッサ６２４は、検出されたデータ・シンボルを処理し（例えば、シンボル・デマッピングし、デインタリーブし、復号し）、各送信デバイス（例えば装置６０２）に関連する復号されたデータを提供する。
【００７２】
次に、装置６０４から装置６０２へ情報を送信することに関与する要素（例えば順方向リンク）が取り上げられる。装置６０４において、トラフィック・データは、送信（「ＴＸ」）データ・プロセッサ６２６によって処理されてデータ・シンボルを生成する。変調器６２８は、データ・シンボル、パイロット・シンボル、および順方向リンク用シグナリングを受信し、変調（例えばＯＦＤＭまたは他の何らかの適切な変調）および／または他の適切な処理を実行し、出力チップ・ストリームを提供する。出力チップ・ストリームは送信器（「ＴＭＴＲ」）６３０によってさらに調整され、アンテナ６１８から送信される。いくつかの実現形態では、順方向リンク用シグナリングは、電力制御命令、およびコントローラ６３２によって生成された、装置６０４に逆方向リンク上で送信する全ての装置（例えば端末）のための他の情報（例えば、通信チャネルに関する情報）を含み得る。
【００７３】
装置６０２において、装置６０４によって送信された変調された信号は、アンテナ６１６によって受信され、受信器（「ＲＣＶＲ」）６３４によって調整およびディジタル化され、次いで復調器（「ＤＥＭＯＤ」）６３６によって処理されて検出されたデータ・シンボルを得る。受信（「ＲＸ」）データ・プロセッサ６３８は、検出されたデータ・シンボルを処理し、装置６０２のための復号されたデータおよび順方向リンク・シグナリング提供する。コントローラ６４０は、電力制御命令、データ送信を制御するためのおよび送信電力を制御するための他の情報を装置６０４への逆方向リンク上で受信する。
【００７４】
コントローラ６４０および６３２は、装置６０２および装置６０４の様々な動作をそれぞれ指揮する。例えば、コントローラは、適切なフィルタおよびフィルタに関する報告情報を決定し得、フィルタを使用して復号情報を決定し得る。データ・メモリ６４２および６４４はコントローラ６４０および６３２によって使用されるプログラム・コードおよびデータをそれぞれ格納し得る。
【００７５】
図６は、また、通信要素が本明細書において教示されるようなトラフィック・スケジューリング動作を実行する１つ以上の要素を含み得ることを例示している。例えば、ＲＵＭ制御要素６４６は、コントローラ６４０および／または装置６０２の他の要素と協同して本明細書において教示されているように別の装置（例えば装置６０４）へ信号を送信および受信し得る。同様に、ＲＵＭ制御要素６４８は、コントローラ６３２および／または装置６０４の他の要素と協同して別の装置（例えば装置６０２）へ信号を送信および受信し得る。各装置６０２および６０４については、記述されている要素の２つ以上の機能が１つの要素によって提供され得ることが認識されるべきである。例えば、１つの処理要素がＲＵＭ制御要素６４６およびコントローラ６４０の機能を提供し得、また、１つの処理要素がＲＵＭ制御要素６４８およびコントローラ６３２の機能を提供し得る。
【００７６】
本明細書の教示は様々な種類の通信システムおよび／またはシステム構成要素に組み入れられ得る。いくつかの側面では、本明細書の教示は、利用可能なシステム資源を（例えば帯域幅、送信電力、符号化、インターリーブの１つ以上を特定することによって）共用することによって、複数ユーザとの通信をサポートすることが可能な多元接続システムで使用され得る。例えば、本明細書の教示は、符号分割多元接続（「ＣＤＭＡ」）システム、マルチキャリアＣＤＭＡ（「ＭＣＣＤＭＡ」）、広帯域ＣＤＭＡ（「Ｗ−ＣＤＭＡ」）、高速パケット・アクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、あるいは他の多元接続技術の任意のものまたは組合せに適用され得る。本明細書の教示を使用する無線通信システムはＩＳ−９５、ｃｄｍａ２０００、ＩＳ−８５６、Ｗ−ＣＤＭＡ、ＴＤＳＣＤＭＡおよび他の規格のような１つ以上の規格を実現するように設計され得る。ＣＤＭＡネットワークは、ユニバーサル地上無線アクセス（「ＵＴＲＡ」）、ｃｄｍａ２０００、または他の何らかの技術のような無線技術を実現し得る。ＵＴＲＡはＷ−ＣＤＭＡおよびロウ・チップ・レート（Low Chip Rate、「ＬＣＲ」）を含んでいる。ｃｄｍａ２０００技術は、ＩＳ−２０００規格、ＩＳ−９５規格、およびＩＳ−８５６規格を網羅している。ＴＤＭＡネットワークは、グローバル移動体通信システム（「ＧＳＭ（登録商標）」）のような無線技術を実現し得る。ＯＦＤＭＡネットワークは、エボルブドＵＴＲＡ（Evolved UTRA、「ｅ−ＵＴＲＡ」）、ＩＥＥＥ８０２．１１、ＩＥＥＥ８０２．１６、ＩＥＥＥ８０２．２０、フラッシュＯＦＤＭなどのような無線技術を実現し得る。ＵＴＲＡ、ｅ−ＵＴＲＡおよびＧＳＭはユニバーサル・モバイル・テレコミュニケーション・システム（Universal Mobile Telecommunication System、「ＵＭＴＳ」）の一部である。本明細書の教示は、３ＧＰＰロング・ターム・エボルーション（3GPP Long Term Evolution、「ＬＴＥ」）システム、ウルトラ・モバイル・ブロードバンド（Ultra-Mobile Broadband、「ＵＭＢ」）システム、および他の種類のシステムで実現され得る。ＬＴＥはｅ−ＵＴＲＡを使用するＵＭＴＳのリリースである。３ＧＰＰの用語を使用して、本開示の特定の側面は記述されているかもしれないが、本明細書の教示は、３ＧＰＰ（Ｒｅ１９９、Ｒｅ１５、Ｒｅ１６、Ｒｅ１７）技術、および３ＧＰＰ２（ＩｘＲＴＴ、１ｘＥＶ−ＤＯ  ＲｅｌＯ、ＲｅｖＡ、ＲｅｖＢ）技術、および他の技術に適用され得ることが理解されるべきである。
【００７７】
本明細書の教示は様々な機器（例えばノード）に組み入れられ得る（例えば、そのような機器内でまたは機器によって実現され得る）。いくつかの側面では、本明細書の教示に従って実現されているノード（例えば無線ノード）は、アクセス・ポイントまたはアクセス端末を具備し得る。
【００７８】
例えば、アクセス端末は、ユーザ装置、加入者局、加入者ユニット、移動局、モバイル、モバイル・ノード、遠隔局、遠隔端末、ユーザ端末、ユーザ・エージェント、ユーザ装置、または他の何らかの用語を具備し得、これらとして実現され得、あるいは知られている。いくつかの実現形態では、アクセス端末は携帯電話（コードレス電話機）、セッション初期化プロトコル（「ＳＩＰ」）電話、ワイヤレス・ローカル・ループ（「ＷＬＬ」）局、携帯情報端末（「ＰＤＡ」）、無線接続能力を有する携帯型装置、または無線モデムと接続された他の何らかの適切な処理装置を具備し得る。したがって、本明細書において教示されている１つ以上の側面は、電話（例えば携帯電話（セル式電話）またはスマートフォン）、コンピュータ（例えばラップトップ）、携帯型通信装置、携帯コンピューティング機器（例えば個人用携帯情報端末）、娯楽装置（例えば音楽装置、ビデオ装置、または衛星ラジオ）、全地球測位システム装置、または無線媒体によって通信するように構成されているあらゆる適切な装置内に組み入れら得る。
【００７９】
アクセス・ポイントは、ＮｏｄｅＢ、ｅＮｏｄｅＢ、無線ネットワーク・コントローラ（「ＲＮＣ」）、基地局（「ＢＳ」）、無線基地局（「ＲＢＳ」）、基地局コントローラ（「ＢＳＣ」）、基地トランシーバ局（「ＢＴＳ」）、トランシーバ機能（「ＴＦ」）、無線トランシーバ、無線ルータ、基本サービス・セット（「ＢＳＳ」）、拡張サービス・セット（「ＥＳＳ」）または他のある同様の用語を具備し得、これらとして実現され得、これらとして知られている。
【００８０】
いくつかの側面では、ノード（例えばアクセス・ポイント）は、通信システムのためのアクセス・ノードを具備し得る。そのようなアクセス・ノードは、例えば、ネットワーク（例えばインターネットまたはセルラ・ネットワークのような広域ネットワーク）への有線通信リンクまたは無線通信リンクによってネットワークのための接続またはネットワークへの接続を提供し得る。したがって、あるアクセス・ノードは、別のノード（例えばアクセス端末）がネットワークまたは他のある機能にアクセスすることを可能にし得る。また、ノードの一方または両方が携帯型、あるいは場合によっては比較的非携帯型であり得ることが認識されるべきである。
【００８１】
また、無線ノードが非無線的な方法で（例えば有線接続によって）情報を送信および／または受信でき得ることが認識されるべきである。したがって、本明細書において詳述されているような受信器および送信器は、非無線媒体によって通信するための適切な通信インターフェース要素（例えば電気的要素または光インターフェース要素）を含み得る。
【００８２】
したがって、無線ノードは、無線ノードによって送信されたか、無線ノードで受信されたデータに基づいた機能を実行する様々な要素を含み得る。例えば、アクセス・ポイントおよびアクセス端末は、信号（例えば制御および／またはデータに関するメッセージ・トラフィック）を送受信するためのアンテナを含み得る。また、アクセス・ポイントは、自身の受信器が複数の無線ノードから受信したか、自身の送信器が複数の無線ノードに送信するデータ・トラフィック・フローを管理するように構成されたトラフィック・マネージャを含み得る。また、アクセス端末は、受信されたデータ（例えばスケジューリングされたトラフィック）に基づいて標識を出力するように構成されたユーザ・インターフェースを含み得る。
【００８３】
無線ノードは任意の適切な無線通信技術に基づくかこれをサポートする１つ以上の無線通信リンクによって通信し得る。例えば、いくつかの側面では、無線ノードはネットワークと対応付けられ得る。いくつかの側面では、ネットワークはローカル・エリア・ネットワークまたは広域ネットワークを具備し得る。無線装置は、様々な無線通信技術、プロトコル、または本明細書において詳述されているもののような規格（例えばＣＤＭＡ、ＴＤＭＡ、ＯＦＤＭ、ＯＦＤＭＡ、ＷｉＭＡＸ、Ｗｉ−Ｆｉなど）の１つ以上をサポートまたは使用し得る。同様に、無線ノードは、様々な対応する変調または多元化方式の１つ以上をサポートまたは使用し得る。したがって、無線ノードは、上記の無線通信技術または他の無線通信技術を使用して１つ以上の無線通信リンクを確立しこれを介して通信するための適切な要素（例えば無線インターフェース）を含み得る。例えば、無線ノードは、無線媒体上での通信を円滑にする様々な要素（例えば信号発生器および信号プロセッサ）を含み得る送信器要素および受信器要素に関連する無線トランシーバを具備し得る。
【００８４】
本明細書において記述されている要素は様々な方法で実現され得る。図７を参照すると、機器７００は、例えば１つ以上の集積回路（例えばＡＳＩＣ）によって実現されている機能を表わし得るか、本明細書において教示されているような他の何らかの方法で実現され得る一連の互いに関係する機能ブロックとして表わされている。本明細書において詳述されているように、集積回路は、プロセッサ、ソフトウェア、他の要素、またはその何らかの組合せを含み得る。
【００８５】
機器７００は様々な図に関する上記の機能の１つ以上を実行し得る１つまたは複数のモジュールを含み得る。例えば、資源を特定するためのＡＳＩＣ７０２は、例えば本明細書において詳述されているような資源特定器に相当し得る。トラフィックをスケジューリングするためのＡＳＩＣ７０４は、例えば本明細書において詳述されているようなトラフィック・スケジューラに相当し得る。
【００８６】
上述のように、いくつかの側面では、これらの要素は適切なプロセッサ要素によって実現され得る。これらのプロセッサ要素は、いくつかの側面において、本明細書において教示されているような構造を少なくとも一部使用して実現され得る。いくつかの側面では、プロセッサは、これらの要素の１つ以上の機能の一部または全てを実現するように適合され得る。いくつかの側面では、破線で描かれている箱によって表わされている任意の要素の１つ以上は随意的なものである。
【００８７】
上述のように、機器７００は１つ以上の集積回路を具備し得る。例えば、いくつかの側面では、１つの集積回路が、図示されている要素の１つ以上の機能を実現し得、他方、他の側面では、複数の集積回路が、図示されている要素の１つ以上の機能を実現し得る。
【００８８】
また、図７によって表わされている要素および機能、ならびに本明細書において記述されている他の要素および機能は、任意の適切な手段を使用して実現され得る。そのような手段も、本明細書において教示されているような対応する構造を少なくとも一部使用して実現され得る。例えば、図７の「…ためのＡＳＩＣ」要素とともに上に記述されている要素は、同様に指定されている「…ための手段」機能にも対応し得る。したがって、いくつかの側面では、そのような手段の１つ以上は、プロセッサ要素、集積回路、または本明細書において教示されているような他の適切な構造の１つ以上を使用して実現され得る。
【００８９】
また、「第１」、「第２」などのような指定を使用して本明細書において要素に対して言及することは、いずれも、概してそれらの要素の量や順序を限定しないことが理解されるべきである。むしろ、これらの指定は、２つ以上の要素または要素の実例を識別する便利な方法として本明細書において使用され得る。したがって、第１要素および第２要素への言及は、２つの要素だけがそこで使用され得ることも、第１要素が何らかの点で第２の要素に先行しなければならないことも意味しない。また、要素の組は、別に明言がない限り、１つ以上の要素を具備し得る。また、明細書または請求項において使用されている記述「Ａ、Ｂ、またはＣのうちの少なくとも１つ」は、「ＡまたはＢまたはＣ、あるいはそれらの任意の組合せ」を意味する。
【００９０】
当業者は、情報と信号が様々な相違する技術および手法のうちの任意のものを使用して表わされ得ることを理解するだろう。例えば、上記の記述の全体にわたって参照され得るデータ、命令、コマンド、情報、信号、ビット、シンボルおよびチップは、電圧、電流、電磁波、磁場または磁性粒子、光電場または光粒子、あるいはそれらの任意の組合せによって表わされ得る。
【００９１】
さらに、当業者は、本明細書において開示されている側面との関連において記述されている様々な例証用の論理ブロック、モジュール、プロセッサ、手段、回路、およびアルゴリズム・ステップの任意のものが電子回路ハードウェア（例えばディジタル実現形態、アナログ実現形態、またはこれら２つの組合せ（これはソース・コーディングまたは他の何らかの手法を使用して設計され得る））、プログラムまたは命令を取り入れたデザイン・コードの様々な形態（これは、便宜上、本明細書において「ソフトウェア」または「ソフトウェア・モジュール」と称され得る）、あるいは両者の組合せとして実現され得ることを認識するだろう。このハードウェアとソフトウェアの互換性を明らかにするために、概して、様々な例証用の要素、ブロック、モジュール、回路、およびステップは、それらの機能の観点で上に記述された。そのような機能がハードウェアとしてまたはソフトウェアとして実現されるかは、システム全体に課されている具体的な適用形態と設計制約に依存する。当業者は、記述されている機能を個々の具体的な適用形態向けの様々な形で実現し得、そのような実現形態を決定することは本開示の範囲からの逸脱を引き起こすものと解釈されるべきでない。
【００９２】
本明細書において開示されている側面との関連で記述されている様々な例証用の論理ブロック、モジュール、および回路は、集積回路（「ＩＣ」）、アクセス端末、またはアクセス・ポイント内でまたはこれらによって実現され得る。ＩＣは、汎用プロセッサ、ディジタル信号プロセッサ（ＤＳＰ）、特定用途向け集積回路（ＡＳＩＣ）、フィールド・プログラマブル・ゲート・アレイ（ＦＰＧＡ）または他のプログラム可能論理回路、ディスクリート・ゲートまたはトランジスタ・ロジック、ディスクリート型ハードウェア構成要素、電気的構成要素、光学的構成要素、機械的構成要素、または本明細書において記述されている機能を実行するように設計された任意の組合せを具備し得、また、ＩＣ内、ＩＣ外、またはその両方に位置するコードまたは命令を実行し得る。汎用プロセッサはマイクロプロセッサであり得、または、汎用プロセッサは任意の従来のプロセッサ、コントローラ、マイクロコントローラ、あるいはステートマシンであり得る。プロセッサは、コンピュータ装置、例えばＤＳＰとマイクロプロセッサの組合せ、複数のマイクロプロセッサ、ＤＳＰコアと協働する１つ以上のマイクロプロセッサ、または任意の他のそのような構成、の組合せとして実現され得る。
【００９３】
あらゆる具体的な順序またはあらゆる開示されている工程の複数のステップの階層は、いずれも実例的アプローチの例であることが理解される。デザイン優先度に基づいて、本開示の範囲内にとどまりながら、工程の複数のステップの具体的な順序または階層が並べ替えられ得ることが理解される。付随の方法請求項は、様々なステップの要素を実例的順序で示し、示されている具体的な順序または階層に制限されることを意味されていない。
【００９４】
本明細書において開示されている側面との関連において記述されている方法またはアルゴリズムのステップは、ハードウェアで直接、プロセッサによって実行されるソフトウェア・モジュールで、またはこれら２つの組合せで具現さ得る。ソフトウェア・モジュール（これは、例えば、実行可能命令および関連するデータを含んでいる）および他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭまたは本技術分野において既知のコンピュータ可読記憶媒体の他の形態のようなデータ・メモリ中に存在し得る。実例的記憶媒体は、例えばコンピュータ／プロセッサ（これは、本明細書において、便宜上、「プロセッサ」と称され得る）のような機械に、プロセッサが記憶媒体から情報（例えばコード）を読み出しまた記憶媒体に情報を書き込めるように、接続され得る。実例的記憶媒体はプロセッサに集積され得る。プロセッサと記憶媒体はＡＳＩＣ内に存在していてもよい。ＡＳＩＣはユーザ装置内に存在し得る。または、プロセッサおよび記憶媒体はユーザ装置のディスクリート型要素として存在し得る。また、いくつかの側面では、任意の適切なコンピュータ・プログラム製品は、本開示の側面の１つ以上に関するコード（これは、例えば、少なくとも１つのコンピュータによって符号によって符号化されている）を具備するコンピュータ可読媒体を具備し得る。いくつかの側面では、コンピュータ・プログラム製品はパッケージング材を具備し得る。
【００９５】
上に開示されている複数の側面の記述は、あらゆる当業者が本開示を実行または使用することを可能にするために提供されている。これらの側面に対する様々な修正は当業者にとって容易に明らかになり、また、本明細書において定義されている包括的な原理は、本開示の範囲から逸脱することなく他の側面に適用され得る。したがって、本開示は、本明細書において示されている側面に制限されることを意図されておらず、本明細書において開示されている原理および新規な特徴と一貫している最も広い範囲と一致するべきである。
以下に、本願出願時の請求の範囲に記載された発明を付記する。
［１］ノードが資源活用メッセージを送信した対象である、複数の資源のうちの１つの資源を特定することと、
前記特定された資源についての競合に基づいて前記ノードを宛先とするトラフィックをスケジューリングすることと、
を具備する通信方法。
［２］前記ノードが前記特定された資源についての競合に勝利している場合、前記トラフィックが前記特定された資源上でスケジューリングされる、
［１］の方法。
［３］前記ノードが前記特定された資源についての競合に勝利していない場合、前記トラフィックが別の資源上でスケジューリングされる、
［１］の方法。
［４］前記資源活用メッセージの優先順位と、少なくとも１つの他のノードによって送信された少なくとも１つの他の資源活用メッセージの優先順位と、に基づいて、前記ノードが前記特定された資源についての競合に勝利したかを判定すること、をさらに具備する、
［１］の方法。
［５］前記ノードがアクセス・ポイントを具備し、
前記アクセス・ポイントが前記スケジューリングを実行する、
［１］の方法。
［６］前記ノードがアクセス端末を具備し、
前記アクセス端末に関連するアクセス・ポイントが前記スケジューリングを実行する、
［１］の方法。
［７］前記ノードがアクセス端末を具備し、
前記アクセス端末が前記スケジューリングを実行する、
［１］の方法。
［８］前記資源活用メッセージが、前記特定された資源を特定する標識を具備する、
［１］の方法。
［９］前記特定された資源が、複数の利用可能なキャリアのうちの少なくとも１つを具備する、
［１］の方法。
［１０］前記複数のキャリアの各々が複数のサブキャリアを具備し、
前記トラフィックが前記複数のサブキャリアのうちの少なくとも一部の上でスケジューリングされる、
［９］の方法。
［１１］前記トラフィックをスケジューリングすることが、前記トラフィックの優先順位にさらに基づく、
［１］の方法。
［１２］前記ノードがノードの組のうちの１つであり、
前記トラフィックをスケジューリングすることが、前記ノードの組に関連する複数のトラフィック・フローの相対的な優先順位に従って特定された資源を使用するように前記ノードの組をスケジューリングすることを具備する、
［１］の方法。
［１３］前記相対的な優先順位が、トラフィック・フロー・レート、バッファされたトラフィックの量、資源活用メッセージ優先順位、トラフィック・フローの形式、ヘッド・オブ・ライン遅延、またはサービスの質パラメータのうちの少なくとも１つに基づく、
［１２］の方法。
［１４］ノードが資源活用メッセージを送信した対象である、複数の資源のうちの１つの資源を特定するための手段と、
前記特定された資源についての競合に基づいて前記ノードを宛先とするトラフィックをスケジューリングするための手段と、
を具備する通信装置。
［１５］前記ノードが前記特定された資源についての競合に勝利している場合、前記トラフィックが前記特定された資源上でスケジューリングされる、
［１４］の装置。
［１６］前記ノードが前記特定された資源についての競合に勝利していない場合、前記トラフィックが別の資源上でスケジューリングされる、
［１４］の装置。
［１７］前記スケジューリングするための手段が、前記資源活用メッセージの優先順位と、少なくとも１つの他のノードによって送信された少なくとも１つの他の資源活用メッセージの優先順位と、に基づいて、前記ノードが前記特定された資源についての競合に勝利したかを判定する、
［１４］の装置。
［１８］前記ノードがアクセス・ポイントを具備し、
前記装置が前記アクセス・ポイント内で実現されている、
［１４］の装置。
［１９］前記ノードがアクセス端末を具備し、
前記装置が前記アクセス端末に関連するアクセス・ポイント内で実現されている、
［１４］の装置。
［２０］前記ノードがアクセス端末を具備し、
前記装置が前記アクセス端末内で実現されている、
［１４］の装置。
［２１］前記資源活用メッセージが、前記特定された資源を特定する標識を具備する、
［１４］の装置。
［２２］前記特定された資源が、複数の利用可能なキャリアのうちの少なくとも１つを具備する、
［１４］の装置。
［２３］前記複数のキャリアの各々が複数のサブキャリアを具備し、
前記トラフィックが前記複数のサブキャリアのうちの少なくとも一部の上でスケジューリングされる、
［２２］の装置。
［２４］前記トラフィックをスケジューリングすることが、前記トラフィックの優先順位にさらに基づく、
［１４］の装置。
［２５］前記ノードがノードの組のうちの１つであり、
前記スケジューリングするための手段が、前記ノードの組に関連する複数のトラフィック・フローの相対的な優先順位に従って特定された資源を使用するように前記ノードの組をさらにスケジューリングする、
［１４］の装置。
［２６］前記相対的な優先順位が、トラフィック・フロー・レート、バッファされたトラフィックの量、資源活用メッセージ優先順位、トラフィック・フローの形式、ヘッド・オブ・ライン遅延、またはサービスの質パラメータのうちの少なくとも１つに基づく、
［２５］の装置。
［２７］ノードが資源活用メッセージを送信した対象である、複数の資源のうちの１つの資源を特定するように構成されている資源特定器と、
前記特定された資源についての競合に基づいて前記ノードを宛先とするトラフィックをスケジューリングするように構成されているトラフィック・スケジューラと、
を具備する通信装置。
［２８］前記ノードが前記特定された資源についての競合に勝利している場合、前記トラフィックが前記特定された資源上でスケジューリングされる、
［２７］の装置。
［２９］前記ノードが前記特定された資源についての競合に勝利していない場合、前記トラフィックが別の資源上でスケジューリングされる、
［２７］の装置。
［３０］前記トラフィック・スケジューラが、前記資源活用メッセージの優先順位と、少なくとも１つの他のノードによって送信された少なくとも１つの他の資源活用メッセージの優先順位と、に基づいて、前記ノードが前記特定された資源についての競合に勝利したかを判定するようにさらに構成されている、
［２７］の装置。
［３１］前記ノードがアクセス・ポイントを具備し、
前記装置が前記アクセス・ポイント内で実現されている、
［２７］の装置。
［３２］前記ノードがアクセス端末を具備し、
前記装置が前記アクセス端末に関連するアクセス・ポイント内で実現されている、
［２７］の装置。
［３３］前記ノードがアクセス端末を具備し、
前記装置が前記アクセス端末内で実現されている、
［２７］の装置。
［３４］前記資源活用メッセージが、前記特定された資源を特定する標識を具備する、
［２７］の装置。
［３５］前記特定された資源が、複数の利用可能なキャリアのうちの少なくとも１つを具備する、
［２７］の装置。
［３６］前記複数のキャリアの各々が複数のサブキャリアを具備し、
前記トラフィックが前記複数のサブキャリアのうちの少なくとも一部の上でスケジューリングされる、
［３５］の装置。
［３７］前記トラフィックをスケジューリングすることが、前記トラフィックの優先順位にさらに基づく、
［２７］の装置。
［３８］前記ノードがノードの組のうちの１つであり、
前記トラフィック・スケジューラが、前記ノードの組に関連する複数のトラフィック・フローの相対的な優先順位に従って特定された資源を使用するように前記ノードの組をスケジューリングするようにさらに構成されている、
［２７］の装置。
［３９］前記相対的な優先順位が、トラフィック・フロー・レート、バッファされたトラフィックの量、資源活用メッセージ優先順位、トラフィック・フローの形式、ヘッド・オブ・ライン遅延、またはサービスの質パラメータのうちの少なくとも１つに基づく、
［３８］の装置。
［４０］ノードが資源活用メッセージを送信した対象である、複数の資源のうちの１つの資源を特定することと、
前記特定された資源についての競合に基づいて前記ノードを宛先とするトラフィックをスケジューリングすることと、
を実行可能なコードによって符号化されているコンピュータ可読媒体を具備する、通信用コンピュータ・プログラム製品。
［４１］アンテナと、
ノードが資源活用メッセージを送信した対象である、複数の資源のうちの１つの資源を特定するように構成されている資源特定器と、
前記特定された資源についての競合に基づいて、前記ノードを宛先とし前記アンテナを伝播するトラフィックをスケジューリングするように構成されているトラフィック・スケジューラと、
を具備するアクセス・ポイント。
［４２］ノードが資源活用メッセージを送信した対象である、複数の資源のうちの１つの資源を特定するように構成されている資源特定器と、
前記特定された資源についての競合に基づいて前記ノードを宛先とするトラフィックをスケジューリングするように構成されているトラフィック・スケジューラと、
前記スケジューリングされたトラフィックに基づいて標識を出力するように構成されているユーザ・インターフェースと、
を具備するアクセス端末。
【図１】
0005749313.tif 000002
【図２】
0005749313.tif 000003
【図３】
0005749313.tif 000004
【図４】
0005749313.tif 000005
【図５】
0005749313.tif 000006
【図６】
0005749313.tif 000007
【図７】
0005749313.tif 000008